(57)【特許請求の範囲】
【請求項１】
Ｈ型断面の腹起しの側面部に切梁または火打ち梁の端部を任意の角度で接合するための梁受け回転ピースであって、前記腹起しのフランジ側面部に取り付けられる下部ピースと、前記切梁または火打ち梁の端部に取り付けられる上部ピースとから構成され、前記下部ピースは両側に複数のボルト孔を有する下部ベース部と当該下部ベース部の上面中央の、前記腹起しのウェブと対応する位置に前記腹起しの軸方向を長辺とする平面矩形状に突設され、かつ上端部に前記腹起しの軸直角方向と平行な線を中心軸とする円弧状の当接面部を有する下部梁受け部を備え、前記上部ピースは複数のボルト孔を有する上部ベース部と、当該上部ベース部の下面に突設され、前記腹起しの軸直角方向と平行な線を中心軸に凹曲面状をなし、かつ前記円弧状の当接面部が回転自在に内接嵌合する嵌合凹部を有する上部梁受け部を備え、前記下部ピースの下部梁受け部の当接面部の円弧とその円弧の中心とで形成される扇形を二分する対称軸が、前記腹起しの軸方向と直角な方向に対し片側に偏って傾斜しており、前記下部ピースの前記対称軸と反対の側に前記切梁または火打ち梁からの軸力に抵抗させるための補強リブが形成され、当該補強リブは前記腹起しの軸方向に前記下部梁受け部と隣接し、かつ前記腹起しのウェブと同一面内に位置していることを特徴とする梁受け回転ピース。
【請求項２】
請求項１記載の梁受け回転ピースにおいて、前記腹起しの軸方向に対する前記対称軸の傾斜角が60〜75°であることを特徴とする梁受け回転ピース。
【請求項３】
請求項１または２に記載の梁受け回転ピースにおいて、下部ピースの下部梁受け部および上部ピースの上部梁受け部のいずれか一方または両方に、前記腹起しの軸直角方向の両側に補強リブが形成されていることを特徴とする梁受け回転ピース。
【請求項４】
請求項１〜３のいずれかひとつに記載の梁受け回転ピースにおいて、下部ピースの下部ベース部に複数のボルト孔が腹起しの軸方向に複数列に形成され、かつ各列のボルト孔の間隔が列毎に異なっていることを特徴とする梁受け回転ピース。
【発明の詳細な説明】
【技術分野】
【０００１】
本発明は、切梁の端部と火打ち梁の端部を腹起しの側面部に接合するための梁受け回転ピースに関し、地盤の崩落や土砂の流出等を防止する山止め支保工において、切梁の端部と火打ち梁の端部を腹起しの側面部に任意の角度で接合することができ、かつ腹起しに作用する大きな土圧に十分かつ安全に対処することができる。
【背景技術】
【０００２】
一般に、地下構造物や埋設物などの施工に際しては、施工中、掘削の側面を保護して周囲地盤の崩壊や土砂の流出等を防止するため、多数のシートパイル等からなる山止め壁が仮設され、山止め壁の内側には腹起し、切梁、火打ち梁などからなる山止め支保工が仮設される。
【０００３】
通常、腹起しは山止め壁の内側に水平に添え付けられ、切梁は腹起しの側面部に端部を直角に突き付けて水平に架け渡され、かつアジャストジャッキや油圧ジャッキ等によって腹起しに強く押し付けられる。
【０００４】
また、腹起しと切梁間に火打ち梁が架け渡され、通常、火打ち梁は、腹起し側と切梁側にそれぞれ３０度〜６０度の火打角度で設置されるが、腹起しの断面設計に際し、特に腹起しの設計用スパン（有効スパン）を決定する上で有利になる等の理由により腹起し側６０度、切梁側３０度の火打角度、あるいは腹起し側、切梁側共に４５度の火打ち角度で設置されることが多い。
【０００５】
また、火打ち角度が６０度、４５度および３０度の場合、現場施工の省力化、効率アップ等の理由により、火打ち梁の両端は腹起しと切梁にそれぞれ６０度用火打ピースと３０度用火打ピース、腹起し側、切梁側共に４５度用火打ちピースを介してボルト接合される。
【０００６】
そして、これ以外の火打ち角度で接合する場合は、例えば図６（ａ）〜（ｃ）に図示するように、腹起し３０側に火打ち梁３１を受ける火打ち受けボックスや火打ち受けピース等の火打ち受け部材３２を取り付け、火打ち梁３１の端部と火打ち受け部材３２との間に袋詰めにしたコンクリート３３を充填することにより角度調整を行っている。
【先行技術文献】
【特許文献】
【０００７】
【特許文献１】実公平５−１６２８４号公報
【特許文献２】実公平７−１２４２９号公報
【特許文献３】特開２００６−１３８１２５号公報
【発明の概要】
【発明が解決しようとする課題】
【０００８】
しかし、３０度、４５度および６０度用火打ち受けピースによる接合は、これ以外の火打ち角度で接合できないだけでなく、角度調整が自由にできないという課題があった。
【０００９】
また、火打ち受けボックスと袋詰めコンクリートによる接合は、強度上の信頼性に劣るだけでなく、施工効率が落ちる等の課題があった。
【００１０】
本発明は、以上の課題を解決するためになされたもので、切梁と火打ち梁の端部を腹起しの側面部に任意の角度で接合でき、かつ腹起しに作用する土圧に十分かつ安全に対処できる梁受け回転ピースを提供することを目的とするものである。
【課題を解決するための手段】
【００１１】
請求項１記載の梁受け回転ピースは、Ｈ型断面の腹起しの側面部に切梁または火打ち梁の端部を任意の角度で接合するための梁受け回転ピースであって、前記腹起しのフランジ側面部に取り付けられる下部ピースと、前記切梁または火打ち梁の端部に取り付けられる上部ピースとから構成され、前記下部ピースは両側に複数のボルト孔を有する下部ベース部と当該下部ベース部の上面中央の、前記腹起しのウェブと対応する位置に前記腹起しの軸方向を長辺とする平面矩形状に突設され、かつ上端部に前記腹起しの軸直角方向と平行な線を中心軸とする円弧状の当接面部を有する下部梁受け部を備え、前記上部ピースは複数のボルト孔を有する上部ベース部と、当該上部ベース部の下面に突設され、前記腹起しの軸直角方向と平行な線を中心軸に凹曲面状をなし、かつ前記円弧状の当接面部が回転自在に内接嵌合する嵌合凹部を有する上部梁受け部を備え、前記下部ピースの下部梁受け部の当接面部の円弧とその円弧の中心とで形成される扇形を二分する対称軸が、前記腹起しの軸方向と直角な方向に対し片側に偏って傾斜しており、前記下部ピースの前記対称軸と反対の側に前記切梁または火打ち梁からの軸力に抵抗させるための補強リブが形成され、当該補強リブは前記腹起しの軸方向に前記下部梁受け部と隣接し、かつ前記腹起しのウェブと同一面内に位置していることを特徴とするものである。
【００１２】
本発明は、腹起しの側面部に切梁の端部を直角に接合できない場合や、腹起しの側面部に火打ち梁の端部を３０度、４５度または６０度用の火打ちピースで接合できない場合でも、切梁または火打ち梁の端部を腹起しの側面部に任意の角度で接合することができ、また腹起しに作用する大きな土圧に十分かつ安全に対処できるようにしたものである。
【００１３】
本発明によれば、下部ピースの下部梁受け部に形成された当接面部と上部ピースの上部梁受け部に形成された嵌合凹部が回転自在に内接嵌合することで、腹起しの側面部に切梁の端部を直角以外の角度でも接合することができ、また、腹起しの側面部に火打ち梁の端部を３０度、４５度または６０度以外の任意の角度でも容易に接合することができる。
【００１４】
さらに、下部梁受け部の当接面部と上部梁受け部の嵌合凹部が回転自在に内接嵌合し、かつ双方が面接触する支圧構造により軸圧縮に対する強度がきわめて大きく、このため腹起しに作用する大きな土圧に対しても十分かつ安全に対処することができる。
【００１５】
なお、下部ピースと上部ピースは、いずれも鋳造または複数のプレートを溶接することにより容易に製作することができ、特に鋳造は量産に適し、溶接による製作は必要に応じて製作する場合に必要な数だけ廉価に製作することができる。
【００１７】
また、図１(ｂ)において、イは下部ピースの下部梁受け部の当接面部の円弧、ロは円弧イの中心、ハは円弧イと円弧イの中心ロとで形成される扇形、ニは切梁または火打ち梁からの軸力に抵抗する補強リブ、そして、Ｌは扇形ハを二分する対称軸である。
【００１８】
本発明は、特に腹起しの側面部に傾斜して接合される切梁と火打ち梁に作用する大きな軸力に備えたものであり、特に切り梁または火打ち梁が接合された梁受け部の反対側に補強リブが切梁または火打ち梁に対向して形成されていることで、腹起しに作用する土圧をより強固に保持することができる。
【００１９】
補強リブは、下部ベース部および梁受け部と一体に形成されてよく、またリブ材を溶接などによって後付けすることにより形成することもできる。なお、切梁または火打ち梁の向きが反対になるときは、これに合わせて下部ピースの向きを反対向きに変えればよい。
【００２０】
請求項２記載の梁受け回転ピースは、請求項１記載の梁受け回転ピースにおいて、前記腹起しの軸方向に対する前記対称軸の傾斜角が６０〜７５°であることを特徴とするものである(図１参照)。
【００２１】
腹起しの軸方向に対する対称軸Ｌの傾斜角αが、この範囲で切梁または火打ち梁が腹起しに接合されていれば、切梁または火打ち梁を介して作用する大よその軸力に対して補強リブを有効に作用させることができる。また、切梁または火打ち梁を腹起しに対し傾斜させた状態にだけでなく、直角にも接合することができる。
【００２２】
なお、腹起しの軸方向に対する前記対称軸Ｘの傾斜角αが６０°で、切梁などを３０〜９０°の角度で受けることができ、また、傾斜角αが６７．５°で、切梁などを３０〜１０５°の角度で受けることができる。さらに、傾斜角αが７５°では、切梁などを３０〜１２０°の角度で受けることができる。
【００２３】
請求項３記載の梁受け回転ピースは、請求項１または２記載の梁受け回転ピースにおいて、下部ピースの下部梁受け部および上部ピースの上部梁受け部のいずれか一方または両方に、前記腹起しの軸直角方向の両側に補強リブが形成されていることを特徴とするものである。
【００２４】
本発明は、特に切梁または火打ち梁を介して作用する軸圧縮による下部梁受け部および上部梁受け部の座屈破壊に備えたものであり、この場合の補強リブはリブ材を溶接などによって後付けすることにより容易に形成することができる。
【００２５】
請求項４記載の梁受け回転ピースは、請求項１〜３のいずれかひとつに記載の梁受け回転ピースにおいて、下部ピースの下部ベース部に複数のボルト孔が腹起しの軸方向に複数列に形成され、かつ各列のボルト孔の間隔が列毎に異なっていることを特徴とするものである。
【００２６】
下部ピースを取り付ける腹起しには、径とボルト孔の間隔の異なるものが多種存在することから、下部ベース部のボルト孔をいわゆる、「千鳥配置」とすることにより、径とボルト孔の間隔の異なる腹起しにも一種類の下部ピースで対応できるようにしたものである。
【発明の効果】
【００２７】
本発明は、下部ピースの下部梁受け部に形成された当接面部と上部ピースの上部梁受け部に形成された嵌合凹部が回転自在に内接嵌合することで、腹起しの側面部に切梁の端部を直角以外の任意の角度に容易に接合することができ、また、腹起しの側面部に火打ち梁の端部を３０度、４５度または６０度以外の任意の角度で容易に接合することができる。
【００２８】
また、下部梁受け部の当接面部と上部梁受け部の嵌合凹部が回転自在に内接嵌合し、かつ双方が面接触する支圧構造により軸圧縮力に対する強度がきわめて大きく、このため腹起しに作用する大きな土圧に対して十分かつ安全に対処することができる。
【００２９】
さらに、切梁または火打ち梁が腹起しの側面部に傾斜して接合される場合でも、これらの梁が接合された梁受け部の反対側に補強リブが形成されていることで、腹起しに作用する土圧をより強固にかつ安全に保持することができる。
【図面の簡単な説明】
【００３０】
【図１】腹起しと切梁および火打ち梁との接合部を示し、(ａ)は腹起しの側面部に切梁と火打ち梁の端部が梁受け回転ピースによって、それぞれ６０度、３０度、７５度の角度で接合された状態を示す平面図、(ｂ)は切梁または火打ち梁と補強リブとの相対的位置関係を示す説明図である。
【図２】腹起しの側面部に火打ち梁の端部が梁受け回転ピースによって、６０度の角度で接合された状態を示す平面図である。
【図３】梁受け回転ピースによる腹起しと火打ち梁との接合部を示し、（ａ）は平面図、（ｂ）は（ａ）におけるイ−イ線断面図である。
【図４】下部ピースを示し、（ａ）は平面図、（ｂ）は背面図、（ｃ）は左側面図である。
【図５】上部ピースを示し、（ａ）は平面図、（ｂ）は底面図、（ｃ）は左側面図、（ｄ）は（ｃ）におけるロ−ロ線断面図である。
【図６】(ａ)，(ｂ)は、腹起しの側面部に切梁と火打ち梁を接合する方法の従来例を示す斜視図、(ｃ)はその平面図である。
【発明を実施するための形態】
【００３１】
図１〜図５は、本発明の一実施形態を示し、図１において、多数のシートパイル等からなる山止め壁１の内側に複数の腹起し２が設置され、当該腹起し２の側面部に切梁３の端部が梁受け回転ピース４を介し、６０度の角度で接合されている。
【００３２】
また、切梁３の両側に火打ち梁５と火打ち梁６が設置され、それぞれ腹起し２の側面部に梁受け回転ピース４を介し、火打ち梁５は３０度の角度で、火打ち梁６は７５度の角度でそれぞれ腹起し２の側面部に接合されている。
【００３３】
なお、図２においては、切梁３の端部は腹起し２の側面部に梁受け回転ピースを介さないで直接直角に接合され、火打ち梁５と火打ち梁６の端部は腹起し２の側面部に、共に梁受け回転ピース４を介し、６０度の火打ち角度で接合されている。
【００３４】
梁受け回転ピース４は、腹起し２の側面部に取り付けられた下部ピース７と、切梁３、火打ち梁５および火打ち梁６の各梁の端部にそれぞれ取り付けられた上部ピース８とから構成されている。なお、図３は、腹起し２の側面部に火打ち梁５の端部が梁受け回転ピース４を介して接合された状態を図示したものである。
【００３５】
下部ピース７は、腹起し２の軸方向を長辺とする長方形板状の下部ベース部９の上面中央に腹起し２の軸方向を長辺とする平面矩形状の下部梁受け部１０を備えて形成されている（図４参照）。
【００３６】
下部ベース部９には複数のボルト孔１１が形成されている。ボルト孔１１は、下部梁受け部１０の両側に腹起し２の軸方向に所定間隔おきに形成されている。
【００３７】
なお、ボルト孔１１の位置、径および間隔は、多種存在する既存の腹起し材に取り付け可能なように形成されている。例えば、ボルト孔１１は、下部梁受け部１０の両側にそれぞれ腹起し２の軸方向に２列にかつ外側の列のボルト孔１１のピッチは広めに、内側の列のボルト孔１１のピッチは外側の列より小さく形成されており(図省略)、いわゆる千鳥配置になっている。
【００３８】
また、下部梁受け部１０の上端部には腹起し２の軸直角方向と平行な線を中心軸とする側面視円形状の当接面部１２が形成され、また下部梁受け部１０の両側面部にねじ孔１０ａが形成されている。
【００３９】
さらに、下部ベース９には第一補強リブ１３または第一補強リブ１３および第二補強リブ１４が下部梁受け部１０と腹起し２の軸方向に隣接し、かつ下部ベース部９および下部梁受け部１０と一体に形成されている。
【００４０】
第一補強リブ１３と第二補強リブ１４は、下部梁受け部１０および当接面部１２と同一平面内で互いに一体に形成され、かつ下部梁受け部１０を腹起し２の軸方向に挟んで、切梁３、火打ち梁５および火打ち梁６の各梁の端部とそれぞれ対向するように形成されている。
【００４１】
すなわち、第一補強リブ１３と第二補強リブ１４は、切梁３、火打ち梁５および火打ち梁６の各梁の材軸のほぼ延長線上に下部梁受け部１０を介在して設置されている。
【００４２】
第一補強リブ１３と第二補強リブ１４がこのように形成されていることで、腹起し２の側面部に斜めに接合された切梁３、火打ち梁５および火打ち梁６の各梁に作用する大きな軸圧縮力に対してもきわめて有効に抵抗することができる。
【００４３】
なお、第一補強リブ１３と第二補強リブ１４は、下部梁受け部１０と一体的に形成されてもよく、また第二補強リブ１４のようにリブ材を溶接などによって後付けして形成されてもよい。また、場合によっては第二補強リブ１４を省略してもよい。
【００４４】
さらに、下部梁受け部１０の両側に複数の第三補強リブ１５が対称に、かつ下部ベース部９および下部梁受け部１０と一体に形成されている。
【００４５】
第三補強リブ１５は、切梁３、火打ち梁５および火打ち梁６の各梁に作用する大きな軸圧縮力による下部梁受け部１０の座屈破壊に対処することができる。
【００４６】
このように形成された下部ピース７は、下部ベース部９のボルト孔１１と腹起し２に形成されたボルト孔２ａを貫通する複数の取付ボルト１６によって腹起し２の側面部に取り付けられている。
【００４７】
上部ピース８は、方形板状の上部ベース部１７の下面中央に腹起し２の軸方向を長辺とする平面矩形状の上部梁受け部１８を備えて形成されている（図５参照）。
【００４８】
上部ベース部１７には、複数のボルト孔１９が上部梁受け部１８の各コーナ部付近に位置して形成されている。
【００４９】
上部梁受け部１８の下端部には腹起し２の軸直角方向と平行な線を中心軸とし、下部梁受け部１０の当接面部１２の半径とほぼ同じ内径で凹曲面状をなす嵌合凹部２０が形成されている。
【００５０】
また、嵌合凹部２０の腹起し２の軸直角方向の両側にガイドプレート２１がそれぞれ取り付けられ、当該ガイドプレート２１の腹起し２の軸直角方向側に補強リブ２２が対称に取り付けられている。補強リブ２２はガイドプレート２１および上部ベース部１７に溶接などによって一体に取り付けられている。
【００５１】
このように構成された上部ピース８は、切梁３、火打ち梁５および火打ち梁６の各梁の端部に調整ジャッキ２３を介し、上部ベース部１７のボルト孔１９を貫通する複数の取付けボルト２４によって取り付けられている。なお、図３では、火打ち梁５の端部に上部ピース８が取り付けられている。
【００５２】
また、上部梁受け部１８の嵌合凹部２０と下部梁受け部１０の当接面部１２がその円周方向に回転自在に内接嵌合され、かつ切梁３、火打ち梁５および火打ち梁６の各梁が設置された位置にフィットするように、調整ジャッキ２３を操作することにより各梁の長さが調整されている。
【００５３】
以上の構成により、下部ピース７の下部梁受け部１０に形成された当接面部１２と上部ピース８の梁受け部１８に形成された嵌合凹部２０が内接嵌合し、その円周方向に回転自在であることにより、切梁３、火打ち梁５および火打ち梁６の各梁の端部は梁受け回転ピース４を介して腹起し２の側面部に任意の角度で接合することができる。
【００５４】
なお、実施例では、下部ピース７に第一補強リブ１３と第二補強リブ１４が形成されていることにより、下部ピース７と上部ピース８は、当接面部１２と嵌合凹部２０が内接嵌合した状態で３０°〜７５°の範囲で接合し、腹起し２の軸方向に対する対称軸Ｌの傾斜角αは、６７．５°になっている(図１参照)。
【００５５】
また、下部ピース７の当接面部１２と上部ピース８の嵌合凹部２０が内接嵌合し、双方の面と面が面接触する支圧構造により軸圧縮力に対する強度がきわめて大きく、このため大きな土圧を支持する切梁３、火打ち梁５および火打ち梁６の各梁の腹起し２側の端部を腹起し２の側面部に強固に接合することができ、これにより腹起し２に作用する大きな土圧に十分かつ安全に対処することができる。
【００５６】
このような構成において、次に、切梁３と火打ち梁５および火打ち梁６の設置手順を説明する。
【００５７】
（1）最初に、切梁３、火打ち梁５および火打ち梁６の各梁の端部に梁受け回転ピース４の下部ピース７と上部ピース８を取り付ける。
【００５８】
上部ピース８は、各梁の端部に調整ジャッキ２３と共に上部ベース部１７のボルト孔１９を貫通する複数の取付ボルト２４によって各梁の端部に取り付ける。
【００５９】
また、下部ピース７は下部梁受け部１０の当接面部１２を上部ピース８の嵌合凹部２０に内接嵌合し、ガイドプレート２１に形成されたボルト孔２１ａを貫通し、下部梁受け部１０の両側面部に形成されたねじ孔１０ａに螺合される連結ねじ２５によって上部ピース８に取り付ける。
【００６０】
（2）次に、梁受け回転ピース４を取り付けた切梁３を腹起し２の内側に吊り込み、下部ピース７の下部ベース部９を腹起し２の側面部に添え付ける。そして、下部ベース部９のボルト孔１１と腹起し２に形成されたボルト孔２ａを貫通する複数の取付ボルト１６によって下部ピース７を腹起し２の側面部にボルト止めする。そして、切梁３が設置された位置にフィットするように、調整ジャッキ２３を操作して切梁３の長さを調整する。
【００６１】
（3）次に、梁受け回転ピース４を取り付けた火打ち梁５と火打ち梁６を切梁３の両側に順に吊り込む。そして、火打ち梁５と火打ち梁６の切梁３側の端部を切梁３の側面部にそれぞれ接合ピース２６を介してボルト接合する。
【００６２】
（4）次に、火打ち梁５と火打ち梁６の腹起し２側の端部を、切梁３の腹起し２側の端部と同様にして腹起し２の側面部に接合する。そして、火打ち梁５と火打ち梁６がそれぞれ設置された位置にフィットするように調整ジャッキ２３を操作して火打ち梁５と火打ち梁６の長さを調整する。以上の施工手順により切梁３と火打ち梁５および６の設置は完了する。
【産業上の利用可能性】
【００６３】
本発明は、切梁と火打ち梁の端部を腹起しの側面部に任意の角度で接合することができ、また腹起しに作用する大きな土圧に十分かつ安全に対処することができる。
【符号の説明】
【００６４】
１  山止め壁
２  腹起し
２ａ  ボルト孔
３  切梁
４  梁受け回転ピース
５  火打ち梁
６  火打ち梁
７  下部ピース
８  上部ピース
９  下部ベース部
１０  下部梁受け部
１１  ボルト孔
１２  当接面部
１３  第一補強リブ
１４  第二補強リブ
１５  第三補強リブ
１６  取付ボルト
１７  上部ベース部
１８  上部梁受け部
１９  ボルト孔
２０  嵌合凹部
２１  ガイドプレート
２２  補強リブ
２３  調整ジャッキ
２４  取付ボルト
２５  連結ねじ
２６  接合ピース  
【図１】
0005559123.tif 000002
【図２】
0005559123.tif 000003
【図３】
0005559123.tif 000004
【図４】
0005559123.tif 000005
【図５】
0005559123.tif 000006
【図６】
0005559123.tif 000007